(57)【要約】【課題】外装部材を本体部材に組み付ける方向に、第１および第２のスイッチを並べて配置する場合にも、撮像装置の高さ方向に小型化する。【解決手段】フロントカバー７には、レリーズボタン５、ズームレバー４、ズームプレート１１が取り付けられる。フロントカバー７が組み付けられる本体部材１００には、レリーズボタン５が操作されることで信号を出力するレリーズスイッチ１７、ズームレバー４が操作されることで信号を出力するズームスイッチ９が取り付けられる。レリーズスイッチ１７およびズームスイッチ９を本体部材１００の同一平面上であって、フロントカバー７が本体部材１００に組み付けられる方向に並べて配置するとともに、ズームスイッチ９の突出部１０を前記第１のスイッチの上面よりも上方向に突出形成する。【選択図】図５
2010224271.tif 000002
【特許請求の範囲】
【請求項１】
撮像装置の前面および上面の少なくとも一部を覆う外装部材と、
前記外装部材が組み付けられる本体部材と、
前記外装部材の上面に取り付けられるレリーズボタンと、
前記レリーズボタンの周囲を回動自在に取り付けられるズームレバーと、
前記外装部材の内側で前記ズームレバーに連動して回動する回動部材と、
前記本体部材に取り付けられるものであって、前記外装部材が前記本体部材に組み付けられ、前記レリーズボタンが操作されることで信号を出力する第１のスイッチと、
前記本体部材に取り付けられるものであって、前記外装部材が前記本体部材に組み付けられることで、前記回動部材に係合し、前記ズームレバーが操作されることで信号を出力する第２のスイッチとを有し、
前記第１のスイッチおよび前記第２のスイッチを前記本体部材の同一平面上であって、前記外装部材が前記本体部材に組み付けられる方向に並べて配置するとともに、前記第２のスイッチの前記回動部材と係合する部分を前記第１のスイッチの上面よりも上方向に突出形成することを特徴とする撮像装置。
【請求項２】
撮像装置の前面および上面の少なくとも一部を覆う外装部材と、
前記外装部材が組みつけられる本体部材と、
前記外装部材の上面に取り付けられるレリーズボタンと、
前記レリーズボタンの周囲を回動自在に取り付けられるズームレバーと、
前記外装部材の内側で前記ズームレバーに連動して回動する回動部材と、
前記本体部材に取り付けられるものであって、前記外装部材が前記本体部材に組み付けられ、前記レリーズボタンが操作されることで信号を出力する第１のスイッチと、
前記本体部材に取り付けられるものであって、前記外装部材が前記本体部材に組み付けられることで、前記回動部材に係合し、前記ズームレバーが操作されることで信号を出力する第２のスイッチとを有し、
前記外装部材が前記本体部材に組み付けられる方向に前記第１のスイッチおよび前記第２のスイッチを並べて配置するとともに、前記第２のスイッチの前記回動部材と係合する部分が前記第１のスイッチの上面よりも上方向に突出するように、前記第１のスイッチの取り付け面に対して前記第２のスイッチの取り付け面を傾斜させることを特徴とする撮像装置。
【発明の詳細な説明】
【技術分野】
【０００１】
本発明は、例えば、レリーズスイッチとズームスイッチとをまとめて配置した撮像装置等のように、複数の操作レバー付きスイッチを、まとめて配置した電子機器と撮像装置に関する。
【背景技術】
【０００２】
一般に、電子機器の一種である撮像装置には、ユーザの操作する変倍動作を検出するズーム検出機構を備えたデジタルカメラ等がある。
【０００３】
従来のデジタルカメラでは、フロントカバーに、回転操作部材であるズームレバーと、押下操作部材であるレリーズボタンとを同心円に配置したものが提案されている（例えば、特許文献１参照）。
【０００４】
このようなデジタルカメラでは、図７及び図８に例示するように、フロントカバー５０内部で、レリーズスイッチ５１がズームスイッチ５２より１段低い位置に配置されている。
【０００５】
このデジタルカメラでは、フロントカバー５０内部に、ズームレバー５３と連動して回動するズームプレート５４が配置されている。このズームプレート５４には、ズームスイッチ５２のレバー部５５と係合するアーム５６を設ける。
【０００６】
このズームスイッチ５２は、２方向検知スイッチで構成されている。このズームスイッチ５２は、ユーザがズームレバー５３を回転させる操作によって回動されたズームプレート５４のアーム５６が、ズームスイッチ５２のレバー部を一方向又は他方向に回転させたことに対応した各信号を発生する。このようにしてズームスイッチ５２で発生した各信号は、図示しないカメラ本体内の制御部に入力されるように構成されている。
【０００７】
このデジタルカメラでは、レリーズスイッチ５１がフレキシブル基板５７を折り曲げることによって、ズームスイッチ５２より１段低い位置に配置されている。このように構成されたデジタルカメラでは、フロントカバー５０をトップベースユニット５８に対して水平方向に挿入して組み付ける。
【０００８】
このデジタルカメラでは、フロントカバー５０を水平方向に挿入して組み付ける際に、レリーズボタン５９やズームプレート５４がレリーズスイッチ５１と干渉することなく、組み付け作業が可能となっている。
【先行技術文献】
【特許文献】
【０００９】
【特許文献１】特開２００６−１９６２１２号公報
【発明の概要】
【発明が解決しようとする課題】
【００１０】
最近では、ズームスイッチやレリーズスイッチといった部品単体の小型化が進んでいる。さらに、デジタルカメラに対しては、例えば、デジタルカメラの高さ方向の寸法を短くして小型化を図るという要請が、以前にも増して強くなっている。
【００１１】
しかしながら、上述した従来の構成では、フロントカバー５０をデジタルカメラ正面よりトップベースユニット５８に対して水平方向に挿入して組み付けることになる。このため、ズームプレート５４は、トップベースユニット５８に対して水平方向に挿入するときにレリーズスイッチ５１の上側に接近した位置を通過することになる。
【００１２】
ここで、ズームプレート５４のアーム５６は、ズームスイッチ５２のレバー部５５と係合する必要があるため、ズームプレート５４から下方に延出するように構成されている。このため、ズームプレート５４をトップベースユニット５８に対して水平方向に挿入する作業工程では、ズームプレート５４のアーム５６が、レリーズスイッチ５１と干渉してレリーズスイッチ５１に破損を与える虞がある。そこで、前述した従来の構成では、ズームスイッチ５２とレリーズスイッチ５１とをデジタルカメラ長手方向に配置するときの位置関係を従来以上に接近させて小型化を図ることができない。
【００１３】
また、前述した従来の構成では、ズームスイッチ５２をレリーズスイッチ５１の配置面より十分に高くすることで、ズームスイッチ５２をレリーズスイッチ５１の後方に配置できる。このように構成した場合には、図８に示すように、デジタルカメラの長手方向に対して、ズームスイッチ５２とレリーズスイッチ５１との位置関係を接近させることができる。
【００１４】
さらに、この場合には、ズームスイッチ５２がレリーズスイッチ５１の後方に配置されているので、フロントカバー５０を組み付けるときにズームプレート５４のアーム５６とレリーズスイッチ５１との干渉を防ぐことができる。
【００１５】
しかし、この場合には、レリーズスイッチ５１に対するズームスイッチ５２の高さ方向の相対位置が高くなるので、デジタルカメラ全体の高さが増してしまうという問題がある。
【００１６】
本発明の目的は、外装部材を本体部材に組み付ける方向に、第１および第２のスイッチを並べて配置する場合にも、撮像装置の高さ方向に小型化することにある。
【課題を解決するための手段】
【００１７】
上記目的を達成するために、本発明の撮像装置は、撮像装置の前面および上面の少なくとも一部を覆う外装部材と、前記外装部材が組みつけられる本体部材と、前記外装部材の上面に取り付けられるレリーズボタンと、前記レリーズボタンの周囲を回動自在に取り付けられるズームレバーと、前記外装部材の内側で前記ズームレバーに連動して回動する回動部材と、前記本体部材に取り付けられるものであって、前記外装部材が前記本体部材に組み付けられ、前記レリーズボタンが操作されることで信号を出力する第１のスイッチと、前記本体部材に取り付けられるものであって、前記外装部材が前記本体部材に組み付けられることで、前記回動部材に係合し、前記ズームレバーが操作されることで信号を出力する第２のスイッチとを有し、前記第１のスイッチおよび前記第２のスイッチを前記本体部材の同一平面上であって、前記外装部材が前記本体部材に組み付けられる方向に並べて配置するとともに、前記第２のスイッチの前記回動部材と係合する部分を前記第１のスイッチの上面よりも上方向に突出形成することを特徴とする。
【００１８】
上記目的を達成するために、本発明の撮像装置は、撮像装置の前面および上面の少なくとも一部を覆う外装部材と、前記外装部材が組みつけられる本体部材と、前記外装部材の上面に取り付けられるレリーズボタンと、前記レリーズボタンの周囲を回動自在に取り付けられるズームレバーと、前記外装部材の内側で前記ズームレバーに連動して回動する回動部材と、前記本体部材に取り付けられるものであって、前記外装部材が前記本体部材に組み付けられ、前記レリーズボタンが操作されることで信号を出力する第１のスイッチと、前記本体部材に取り付けられるものであって、前記外装部材が前記本体部材に組み付けられることで、前記回動部材に係合し、前記ズームレバーが操作されることで信号を出力する第２のスイッチとを有し、前記外装部材が前記本体部材に組み付けられる方向に前記第１のスイッチおよび前記第２のスイッチを並べて配置するとともに、前記第２のスイッチの前記回動部材と係合する部分が前記第１のスイッチの上面よりも上方向に突出するように、前記第１のスイッチの取り付け面に対して前記第２のスイッチの取り付け面を傾斜させることを特徴とする。
【発明の効果】
【００１９】
本発明によれば、外装部材を本体部材に組み付ける方向に、第１および第２のスイッチを並べて配置する場合にも、撮像装置の高さ方向に小型化することができる。
【図面の簡単な説明】
【００２０】
【図１】本発明の実施の形態に係わるデジタルカメラにおけるズームプレート、ズームスイッチ及びレリーズスイッチの位置関係を示すズームプレート周辺の上面図である。
【図２】本発明の実施の形態に係わるデジタルカメラにおけるズームプレート、ズームスイッチ及びレリーズスイッチの位置関係を示すズームプレート周辺の側面図である。
【図３】本発明の実施の形態に係わるデジタルカメラ（撮像装置）の外観斜視図である。
【図４】本発明の実施の形態に係わるデジタルカメラにおけるズームレバーの周辺の構造を示す分解斜視図である。
【図５】図３のＡ−Ａ線による断面を示す概略断面図である。
【図６】本発明の実施の形態に係わるデジタルカメラにおける、ズームスイッチの形状及び配置面関する他の構成例を示すズームプレート周辺の要部側面図である。
【図７】従来のデジタルカメラにおけるズームスイッチ及びレリーズスイッチを実装した部品を取り出して例示する概略斜視図である。
【図８】従来例のズームスイッチをレリーズスイッチ後方に配置したときの断面外略図である。
【発明を実施するための形態】
【００２１】
以下、本発明の実施の形態について図面を参照しながら説明する。
【００２２】
（デジタルカメラ本体の説明）
図３は、本発明の実施の形態に係わるデジタルカメラ（撮像装置）の外観斜視図である。
【００２３】
図３のデジタルカメラ（撮像装置）の外観斜視図に示すように、カメラ本体１の前面中央部には、光軸方向に繰り出したり繰り込んだりすることにより、撮影光学系の焦点距離を変更するレンズ鏡筒３を配置する。
【００２４】
さらに、カメラ本体１における横側の一方の端部から前面にかけての部分には、撮影者がカメラ本体１を保持するため湾曲形状に膨らませた湾曲形状のグリップ部２を形成する。
【００２５】
このカメラ本体１におけるグリップ部２の上面には、レンズ鏡筒３の撮像画角（撮影光学系の焦点距離）を変更するために操作されるズームレバー４と、２段階の押圧操作が可能なレリーズボタン５とが配置されている。
【００２６】
このズームレバー４は、円筒状に形成されており、軸を中心に正逆方向に所定角度だけ回転可能に装着されている。すなわち、ズームレバー４は、レリーズボタンの周囲を回動自在に取り付けられる。また、レリーズボタン５は、半押操作により撮影準備動作（測光動作や焦点調節動作等）が開始され、全押し操作により撮影動作（ＣＣＤ等の撮像素子への露光）が開始されるよう構成されている。
【００２７】
また、カメラ本体１の上面には、同一箇所に同芯円状にまとめて構成されたズームレバー４及びレリーズボタン５に隣接して、モードダイヤル６を配置する。このモードダイヤル６は、略円板状に形成され、その中央に配置された回転軸を中心に、回転操作可能に構成されている。このモードダイヤル６は、ユーザーが回転操作することにより、シャッタスピード優先モード、絞り優先モード、ポートレート撮影モード又は夜景撮影モード等の様々な撮影モードを選択可能なように構成されている。
【００２８】
（ズームレバー４の周辺の構造についての説明）
図４は、本発明の実施の形態に係わるデジタルカメラにおけるズームレバーの周辺の構造を示す分解斜視図である。
【００２９】
図４のズームレバー４周辺の構造を示すための要部分解斜視図にも示すように、カメラ本体１の内部には、撮影を可能とするための各種の部材が配置されている。
【００３０】
このカメラ本体１では、ズームレバー４の回転軸を、フロントカバー７（外装部材）に設けられたカバー穴部８ａに貫通させることにより、回転軸を中心に回転可能に支受されるようにする。
【００３１】
このカメラ本体１では、外装部品であるフロントカバー７の内側から、ズームスイッチ９の突起部１０と係合するアームを持つズームプレート１１（回動部材）と、ズームレバー４を操作方向と逆方向に付勢するためのねじりコイルばね１２とを組み付け、ビスで締結する。これにより、ズームレバー４とズームプレート１１とが一体となって回動することになる。
【００３２】
このズームレバー４の取り付けボスは、フロントカバー７に形成された２つの円弧穴部８ｂ、８ｃに貫通し、２本のビス（小ねじ）で締結する。これにより、ズームレバー４は、取り付けボスが円弧穴部８ｂ、８ｃ内を移動可能な範囲内において、回転軸を中心に回転可能とされている。
【００３３】
この回転軸の中には、ボタン穴部が開けられている。このボタン穴部には、レリーズキャップ５ａが被せられたレリーズボタン５がボタンばね１３と共に取り付けられている。
【００３４】
単三電池２本を収納するためのバッテリーボックス１４の上部には、フレキシブル基板１５を固定する板金１６、レリーズスイッチ１７、ズームスイッチ９、電源スイッチ１８、モードダイヤル６、等が配置されている。これらレリーズスイッチ１７（第１のスイッチ）と電源スイッチ１８とは、押圧式のスイッチで構成されている。ズームスイッチ９（第２のスイッチ）は、２方向検知型スイッチで構成されている。
【００３５】
レリーズスイッチ１７とズームスイッチ９とは、フレキシブル基板１５の同一平面上に実装される。このフレキシブル基板１５の一端は、カメラ本体内に設けられた図示しない制御部に接続されている。フレキシブル基板１５は本体部材１００に取り付けられている。フロントカバー７はレリーズボタン５およびズームレバー４が取り付けられた後、本体部材１００に対して図４の矢印Ａ方向に組み付けられる。したがって、レリーズスイッチ１７およびズームスイッチ９は、フロントカバー７が本体部材１００に組み付けられる方向に並べて配置される。
【００３６】
ズームレバー４の回転中心の真下位置には、レリーズスイッチ１７が配置されている。そして、レリーズボタン５が押圧操作されて下降する動作によって、ボタン足がレリーズスイッチ１７を押し下げてＯＮ動作するように構成されている。
【００３７】
このレリーズスイッチ１７は、従来汎用されているカメラ用レリーズスイッチと同様に構成されている。このレリーズスイッチ１７は、レリーズボタン５の半押し操作によりボタン足が半押し位置まで押し下げられたときにＯＮ状態となる第１段スイッチ（ＳＷ１）を備える。これと共に、レリーズスイッチ１７は、レリーズボタン５の全押し操作によりボタン足が全押し位置まで押し下げられたときにＯＮ状態となる第２段スイッチ（ＳＷ２）を備える。
【００３８】
次に、ズームレバー４に連動されるズームプレート１１によってズームスイッチ９を動作する部分の構成について、図１及び図２により説明する。
【００３９】
図１は、本発明の実施の形態に係わるデジタルカメラにおけるズームプレート、ズームスイッチ及びレリーズスイッチの位置関係を示すズームプレート周辺の上面図である。図２は、本発明の実施の形態に係わるデジタルカメラにおけるズームプレート、ズームスイッチ及びレリーズスイッチの位置関係を示すズームプレート周辺の側面図である。
【００４０】
このズームスイッチ９は、スイッチの操作子である突起部１０が回転軸を中心に左右対称な所定範囲内で揺動操作可能なように構成されている。この、突起部１０は、図示しない付勢手段で中間位置に戻るように付勢されている。この突起部１０には、その自由端部を略Ｌ字状に折曲して、自由端部の直上に向け、ズームスイッチ９の本体より上方（フロントカバー側）に延出する先端部１０ａが形成されている。すなわち、先端部１０ａはレリーズスイッチ１７の上面よりも上方向に突出形成されている。
【００４１】
また、図１に示すように、ズームプレート１１は、略円環板状に形成されており、その外周部の一部を矩形状に開放させる開放凹部を形成する。このズームプレート１１の開放凹部の両側における、ラジアル方向に延出する両端辺部は、それぞれズームスイッチ９から延出する突起部１０の先端部１０ａに係合して操作可能な構造のアーム１９に構成する。そして、このズームプレート１１の開放凹部内に、ズームスイッチ９から延出する突起部１０の先端部１０ａを臨ませるように配置する。
【００４２】
このように構成することにより、ズームプレート１１が一方に所定角度回転すると、開放凹部の一方のアーム１９が先端部１０ａを押して、突起部１０を一方向へ揺動する。すると、２方向検知型のズームスイッチ９が一の方向にＯＮ動作されたことが検知される。また、ズームプレート１１が他方に所定角度回転すると、開放凹部の他方のアーム１９が先端部１０ａを押して、突起部１０を他方向へ揺動する。すると、２方向検知型のズームスイッチ９が他の方向にＯＮ動作されたことが検知される。
【００４３】
このズームプレート１１には、開放凹部の中間位置（一対のアーム１９の中央位置）にズームスイッチ９の先端部１０ａが臨む初期位置に復帰させるための付勢手段が装着されている。この付勢手段は、フロントカバー７の突き出し部にコイル部が取り付けられた、ねじりコイルばね１２の両端部を、それぞれ対応するズームプレート１１の係止部１１ａ、１１ｂに係着して構成する。
【００４４】
次に、上述したカメラ本体１における、ズームレバー４を操作したときの動作について説明する。
【００４５】
このカメラ本体１では、撮影者が、右手でグリップ部２を保持し、レンズ鏡筒３を被写体に向け、ズームレバー４を操作して撮影画角を設定する。例えば撮影者が、ズームレバー４を一方向に所定角度程度回転させると、ズームレバー４の操作信号を受けたカメラ本体内の制御部は、撮影画角が広角となるようにレンズ鏡筒３を駆動して停止させる。
【００４６】
また撮影者が、ズームレバー４を他方向に回転させると、制御部は、撮影画角が望遠となるようにレンズ鏡筒３を駆動して停止させる。このように、このカメラ本体１では、ズームレバー４の回転方向に応じて、撮影画角を広角側と望遠側に切り換えることができるため、撮影画角の選定が行ない易くなる。
【００４７】
このカメラ本体１では、撮影画角を決定した後に、ズームレバー４の中央にあるレリーズボタン５を押圧操作（全押し操作）することにより撮影が行われる。すなわち、このカメラ本体１では、レリーズボタン５のボタン足がレリーズスイッチ１７の第２のスイッチを押し込むことでＳＷ２がＯＮ状態となり、この信号がフレキシブル基板１５を経てカメラ本体内の制御部に入力される。この入力信号を受けた制御部は、カメラ本体１内に設けられた撮像素子を駆動することによって撮影を行なう。
【００４８】
このカメラ本体１では、撮影画角の切替えを行なうズームレバー４の近傍にレリーズボタン５が配置されているため、撮影画角の切替えと撮影動作とを、指一本で簡単に行なえる。特にデジタルカメラの様に、レンズの撮影画角を頻繁に切替えながら撮影を行なう機器においては、ズームレバー４の操作性が求められているため、上述した配置構成とすることで上記機器に好適なものとなる。
【００４９】
次に、ズームレバー４の動作について詳しく説明する。
【００５０】
まず、ズームレバー４が初期位置にあるときには、ズームレバー４に連動するズームプレート１１の係止部１１ａ、１１ｂにそれぞれ係着されたねじりコイルばね１２の両端が遊びを持たずに係合している。
【００５１】
このため、ズームレバー４は、ねじりコイルばね１２の両端部によって相互に反対方向で同等強さの付勢力を受けるので、ズームレバー４が、安定した状態で、がたなく初期位置に保持される。
【００５２】
このズームレバー４が初期位置にあるときには、図１に示すように、ズームスイッチ９の突起部１０が一対のアーム１９の中間位置にあって何れの方向へも揺動されていない状態となる。この状態では、制御部が、ズームレバー４が初期位置にいることを検出し、レンズ鏡筒３を停止させた状態に維持する。
【００５３】
ここで例えば、操作者が、ズームレバー４を初期位置から広角位置へ回転（図１において反時計方向に回転）させた場合には、ズームプレート１１がズームレバー４と共に反時計方向に回転する。そして、一方のアーム１９が、ズームスイッチの突起部１０を、突起部の付勢力に抗して中間位置から広角位置へ回転させることになる。
【００５４】
突起部１０が広角位置まで回転すると、ズームスイッチ９は、内部の図示しない端子を導通させることにより信号を発生させる。このようにして発生された信号は、カメラ本体１内の制御部に入力される。すると制御部は、ズームレバー４が広角位置にあることを検出し、レンズ鏡筒３を駆動して撮影画角を広角側に切り換える制御を行う。
【００５５】
次に操作者は、レンズ鏡筒３を所望の撮影画角に設定できたら、ズームレバー４を放す。するとねじりコイルばね１２が回転されて弾性変形することにより蓄勢していた付勢力によって、ズームプレート１１は、初期位置へ向けて回転される。このとき、ズームスイッチの突起部１０も、中間位置（ニュートラル位置）まで自動的に復帰し、初期位置の状態になる。
【００５６】
また、ズームレバー４を、広角位置と反対側の望遠位置に移動させる場合には、上述したズームレバー４を広角位置へ回転させる場合の動作と反対の動作を行うことになる。
【００５７】
次に、ズームスイッチ９とレリーズスイッチ１７との配置に関する主要部の構成について、図５を参照しながら説明する。
【００５８】
図５は、図３のＡ−Ａ線による断面を示す概略断面図である。
【００５９】
このカメラ本体１では、カメラ内部機器であるバッテリーボックス１４の上部は、カメラ本体１の縦方向（例えば垂直方向）としたときに、横方向（例えば水平方向）となるように広がる、平面状の上端面部１４ａに形成されている。
【００６０】
このフロントカバー７の内側に対向するよう配置される上端面部１４ａ上（端面部上）には、カメラ本体１の前方側に、レリーズスイッチ１７を設置する。これと共に、上端面部１４ａには、カメラ本体１の後方側に、ズームスイッチ９を上端面部１４ａと平行な状態で設置する。
【００６１】
この図５に示す構成のカメラ本体１では、カメラ本体１の前後方向（組み付け方向）に沿って、レリーズスイッチ１７とズームスイッチ９とを接近させるように並べて配置している。ここで、レリーズスイッチ１７は、組み付け方向の手前側に配置し、ズームスイッチ９は、組み付け方向の奥側（レリーズスイッチ１７の奥側）に配置する。
【００６２】
このように配置した場合には、フロントカバー７に装着したズームレバー４のズームプレート１１の開放凹部内の中央部に、ズームスイッチ９の突起部１０における折曲した自由部が臨むように組み付けられる。
【００６３】
このように構成したカメラ本体１では、カメラ内部機器に対して、フロントカバー７を取り付ける組立工程において、フロントカバー７をバッテリーボックス１４の上端面部１４ａの上平面に沿って嵌め付ける。この組立工程では、ズームプレート１１がレリーズスイッチ１７の上方（外装部品側）に離間した位置を移動するので、ズームプレート１１がレリーズスイッチ１７に接触して損傷を受けないようにして組み立てられる。
【００６４】
また、このカメラ本体１では、ズームプレート１１の一対のアーム１９を設けた開放凹部がカメラ本体１の後方に向けて開放している。このため、この組立工程では、ズームスイッチ９の先端部１０ａがズームプレート１１のアーム１９又は外周辺に接触して損傷を受けないように組み立てられる。
【００６５】
なお、このカメラ本体１では、ズームプレート１１をカメラ本体１の前後方向に移動したときに、ズームスイッチ９の突起部１０の先端部１０ａが一対のアーム１９及び外周辺に接触せずに開放凹部に入るように構成すれば良い。
【００６６】
よって、このカメラ本体１では、ズームプレート１１を前後方向に移動して組み立てたときに、一対のアーム１９及び外周辺に先端部１０ａが接触しない範囲で、ズームスイッチ９をシフト（偏在）させて配置しても良い。例えば、ズームプレート１１におけるカメラ本体１の最後方側から外れた位置に開放凹部を設け、これに対応してズームスイッチ９をレリーズスイッチ１７の真後ろから外れたシフト位置に配置しても良い。また、このカメラ本体１では、ズームスイッチ９本体の配置方向又はズームスイッチ９における突起部１０及び先端部１０ａの延出方向が、カメラ本体１の前後方向と異なる方向となるように構成しても良い。
【００６７】
上述のように構成した場合には、バッテリーボックス１４の上端面部１４ａ上で、ズームスイッチ９をレリーズスイッチ１７の後方に配置することでカメラの前後方向（幅方向）において寄せて配置することができる。
【００６８】
また、このカメラ本体１では、ズームスイッチ９を配置した部分の高さを抑えるように構成できる。よって、このカメラ本体１では、ズームスイッチ９本体部の上方にあたるカメラ外形を低く抑えるよう構成し、従来例の図８と比較して斜線部Ｂの部分を小型化することができる。
【００６９】
次に、本実施の形態に係わるカメラ本体１における、ズームスイッチ９の形状及び配置面関する、他の構成例について、図６により説明する。
【００７０】
図６は、本発明の実施の形態に係わるデジタルカメラにおける、ズームスイッチの形状及び配置面関する他の構成例を示すズームプレート周辺の要部側面図である。
【００７１】
この構成例では、ズームスイッチ９の突起部１０に屈曲形成した先端部１０ａを設け無い構成とする。これと共に、他の構成例では、ズームスイッチ９を斜めに配置して、直線状に延出する突起部１０の先端部が直接ズームプレート１１の開放凹部内に、各アーム１９に接触可能に臨むよう構成する。
【００７２】
図６に示すように、他の構成例では、バッテリーボックス１４の上端面部１４ａ上にズームスイッチ９を所定角度θだけ斜状に傾けた状態で配置する。すなわち、突起部１０がレリーズスイッチ１７の上面よりも上方向に突出するように、レリーズスイッチ１７の取り付け面に対してズームスイッチ９の取り付け面を傾斜させている。これにより、ズームスイッチ９は、レリーズスイッチ１７に対して所定の角度θ傾いた状態で配置される。さらに、ズームスイッチ９の突起部１０は直線状で所定長さを持つバー状に形成する。そして、所定角度θ傾斜して配置したズームスイッチ９から延出する突起部１０の先端部がズームプレート１１の開放凹部における空間内の中央部に臨むように配置する。
【００７３】
このように構成したカメラ本体１では、ズームプレート１１が回動操作されることにより、ズームプレート１１の各アーム１９が斜めの突起部１０に当接して揺動操作することにより、ズームスイッチ９の操作を行う。
【００７４】
このように構成したカメラ本体１では、ズームスイッチ９とレリーズスイッチ１７をカメラの前後方向に接近させて配置することができ、カメラの上方から見た投影サイズを小型化できる。また、ズームスイッチ９を傾けて配置することにより、ズームスイッチ９本体部分の高さを抑えることができるので、カメラ高さ方向において小型化することが可能である。
【００７５】
また、ズームプレート１１にカメラ内部機器側に延出するズームスイッチ９の操作用アームを設ける必要がない。よって、フロントカバー７を上端面部１４ａに沿って移動させながらカメラ内部機器に組み付ける際に、ズームプレート１１のズームスイッチ９の操作用アームがレリーズスイッチ１７に当たって損傷することを抑制できる。
【００７６】
以上、本発明の好適な実施の形態について説明したが、本発明は上述した実施の形態に限定されるものではなく、本発明の要旨を逸脱しない範囲で、その他種々の構成を採り得ることは、勿論である。
【産業上の利用可能性】
【００７７】
本発明は上述したデジタルカメラ等の撮像装置についての実施の形態に限定されるものでは無い。本発明は、互いに異なる方向に操作されるレバーを備え、このレバーの操作位置に応じて異なる信号を出力させるような構成を持った電子機器又は撮像装置であればいかなるものについても適用することができる。
【符号の説明】
【００７８】
１  デジタルカメラ
２  グリップ部
３  レンズ鏡筒
４  ズームレバー
５  レリーズボタン
５ａ  レリーズキャップ
６  モードダイヤル
７  フロントカバー
８ａ  フロントカバーに設けられたカバー穴部
８ｂ  フロントカバーに設けられた円弧穴部
８ｃ  フロントカバーに設けられた円弧穴部
９  ズームスイッチ
１０  ズームスイッチの突起部
１０ａ  ズームスイッチの突起部の先端部
１１  ズームプレート
１２  ねじりコイルばね
１３  ボタンばね
１４  バッテリーボックス
１５  フレキシブル基板
１６  板金
１７  レリーズスイッチ
１８  電源スイッチ
１９  ズームプレートのアーム
【図１】
2010224271.tif 000003
【図２】
2010224271.tif 000004
【図３】
2010224271.tif 000005
【図４】
2010224271.tif 000006
【図５】
2010224271.tif 000007
【図６】
2010224271.tif 000008
【図７】
2010224271.tif 000009
【図８】
2010224271.tif 000010